(57)【要約】【課題】映像の表示位置を最適化する。【解決手段】映像を表示可能な表示面のサイズよりも小さなサイズの映像を表示面に表示させる表示装置であって、視聴者の視聴位置を示す位置情報を取得する位置取得手段と、上記取得された位置情報に応じて、表示面内における映像の表示位置を設定する表示設定手段と、上記設定された表示面内の表示位置に上記小さなサイズの映像を表示させる表示制御手段と、を備える構成とした。上記位置取得手段は、人体を検知する人体検知手段を備え、人体検知手段による人体の検知結果に基づいて上記位置情報を取得する。【選択図】図２
2012114630.tif 000002
【特許請求の範囲】
【請求項１】
映像を表示可能な表示面のサイズよりも小さなサイズの映像を表示面に表示させる表示装置であって、
視聴者の視聴位置を示す位置情報を取得する位置取得手段と、
上記取得された位置情報に応じて、表示面内における映像の表示位置を設定する表示設定手段と、
上記設定された表示面内の表示位置に上記小さなサイズの映像を表示させる表示制御手段と、を備えることを特徴とする表示装置。
【請求項２】
人体を検知する人体検知手段を備え、
上記位置取得手段は、人体検知手段による人体の検知結果に基づいて上記位置情報を取得することを特徴とする請求項１に記載の表示装置。
【請求項３】
上記位置取得手段は、所定のメモリに予め保存された、表示面に対する視聴者の視聴角度を含む位置情報を取得し、上記表示設定手段は、当該視聴角度に応じて上記表示位置を設定することを特徴とする請求項１に記載の表示装置。
【請求項４】
視聴者の視力を示す視力情報を取得する視力取得手段を備え、
上記表示設定手段は、上記取得された視力情報および上記位置情報に応じて、表示面内における映像の表示サイズを設定し、上記表示制御手段は、上記設定された表示位置に当該設定された表示サイズの映像を表示させることを特徴とする請求項１〜請求項３のいずれかに記載の表示装置。
【請求項５】
上記位置取得手段により複数の位置情報が取得された場合、上記表示設定手段は、複数の位置情報が示す各位置の平均値に応じて、上記表示位置を設定することを特徴とする請求項１〜請求項４のいずれかに記載の表示装置。
【請求項６】
上記位置取得手段により複数の位置情報が取得された場合、上記表示設定手段は、それぞれの位置情報に応じて上記表示位置を複数設定し、上記表示制御手段は、当該設定された複数の表示位置に映像を表示させることを特徴とする請求項１〜請求項４のいずれかに記載の表示装置。
【請求項７】
人体の体勢を検知する体勢検知手段を備え、
上記表示設定手段は、上記体勢の検知結果に基づいて、表示面内における映像の表示方向を設定し、上記表示制御手段は、上記設定された表示位置に当該設定された表示方向を向いた映像を表示させることを特徴とする請求項１〜請求項６のいずれかに記載の表示装置。
【請求項８】
映像を表示するための画面のサイズよりも小さなサイズの映像を画面に表示させるテレビジョンであって、
人体を検知可能なセンサによる検知結果に基づいて、画面と人体との距離と、画面に対する人体の視聴角度と、人体の体勢とを示す情報を取得する位置取得手段と、
所定のメモリに予め保存された、視聴者の視力を示す視力情報を取得する視力取得手段と、
上記取得された画面に対する人体の視聴角度を示す情報に応じて、画面内の横方向および縦方向における映像の表示位置を設定し、上記取得された画面と人体との距離を示す情報と上記取得された視力情報に応じて、画面内における映像の表示サイズを設定し、上記取得された体勢を示す情報に応じて、画面内における映像の表示方向を設定する表示設定手段と、
上記設定された画面内の表示位置に、上記設定された表示サイズの映像を、上記設定された表示方向を向かせて表示させる表示制御手段と、を備えることを特徴とするテレビジョン。
【発明の詳細な説明】
【技術分野】
【０００１】
本発明は、表示装置およびテレビジョンに関する。
【背景技術】
【０００２】
映像を表示するための表示面（テレビ画面やスクリーン）に対し、表示面のサイズよりも小さなサイズの映像（縮小画像）を表示する技術が知られている。この種の技術として、動画像の画像の動きに応じて画像の表示サイズを拡大又は縮小して画像を表示する画像処理装置（特許文献１参照。）や、視聴者の目と表示画面との距離を計測し、その距離に応じて最適な画面サイズを得て表示し、また、デジタルテレビ信号に付随する番組内容記述信号を利用して最適な画面サイズを表示する構成（特許文献２参照。）や、視聴者とＣＲＴ画面との距離を検出し、その距離データに基づいてＣＲＴ画面に写し出される映像の表示画面サイズを最適サイズに設定するテレビジョン受像機（特許文献３参照。）が知られている。また、ユーザがリモコン装置を操作することによりプラズマディスプレイパネルの一部領域に縮小映像を表示させ、リモコン装置のカーソルキーや数字キーを操作することにより縮小映像の位置を変更する構成が知られている（特許文献４参照。）。
【先行技術文献】
【特許文献】
【０００３】
【特許文献１】特開２００８‐２３６３８９号公報
【特許文献２】特開２００３‐５８１０１号公報
【特許文献３】特開昭６２‐２７２６６８号公報
【特許文献４】特開２００５‐３１８１４２号公報
【発明の概要】
【発明が解決しようとする課題】
【０００４】
上記各文献のように、表示対象となる映像（番組）の内容や動き、画面と視聴者との距離に応じて、表示する映像のサイズを最適化することで、視聴者に快適な視聴環境を提供することができる。しかしながら、より快適な視聴環境を構築するには、表示面における映像の表示位置も重要な要素となる。特に今日、より大型化するテレビ画面においては、ただ漫然と表示面の中央に映像を表示するだけでは、視聴者の状況次第では視聴しづらいことも考えられる。また、テレビ画面だけでなく、プロジェクタでスクリーンや壁に映像を表示させたり、さらには建物（家屋など）内の壁一面が映像表示可能な表示面となることも今後考えられる。このように、表示面となり得るものの自由度が増して表示面がより巨大化すると、表示面内のどの位置に映像を表示するかについての自由度がより高まるため、視聴者にとって適した表示位置を設定しなければ、まともな視聴環境を提供することができなくなる。
【０００５】
本発明は上記課題を解決するためになされたものであり、表示面内における映像の表示位置を自動的に最適化することで視聴者にとってより快適な視聴環境を実現することが可能な表示装置およびテレビジョンを提供する。
【課題を解決するための手段】
【０００６】
本発明の態様の一つは、映像を表示可能な表示面のサイズよりも小さなサイズの映像を表示面に表示させる表示装置であって、視聴者の視聴位置を示す位置情報を取得する位置取得手段と、上記取得された位置情報に応じて、表示面内における映像の表示位置を設定する表示設定手段と、上記設定された表示面内の表示位置に上記小さなサイズの映像を表示させる表示制御手段とを備える構成としてある。
当該構成によれば、表示面のサイズより小さなサイズの映像を表示面に表示する際、上記位置情報に応じて設定された表示面内の表示位置に映像が表示されるため、表示面内における映像の表示位置が自動的に最適化され、視聴者にとってより快適な視聴環境が実現される。
【図面の簡単な説明】
【０００７】
【図１】テレビジョンの概略構成を示す図である。
【図２】本実施形態にかかる映像表示制御処理を示すフローチャートである。
【図３】人体センサによる検知に基づき位置情報を取得する様子を例示する図である。
【図４】表示サイズテーブルを例示する図である。
【図５】表示位置テーブルを例示する図である。
【図６】表示サイズおよび表示位置が最適化された映像が表示パネルに表示された様子を例示する図である。
【図７】表示サイズおよび表示位置が最適化された複数の映像が表示パネルに表示された様子を例示する図である。
【図８】変形例４についてのフローチャートである。
【発明を実施するための形態】
【０００８】
本発明の実施形態としては、表示装置は、人体を検知する人体検知手段を備え、上記位置取得手段は、人体検知手段による人体の検知結果に基づいて上記位置情報を取得する構成としてもよい。
また本発明の実施形態としては、上記位置取得手段は、所定のメモリに予め保存された、表示面に対する視聴者の視聴角度を含む位置情報を取得し、上記表示設定手段は、当該視聴角度に応じて上記表示位置を設定する構成としてもよい。
また本発明の実施形態としては、表示装置は、視聴者の視力を示す視力情報を取得する視力取得手段を備え、上記表示設定手段は、上記取得された視力情報および上記位置情報に応じて、表示面内における映像の表示サイズを設定し、上記表示制御手段は、上記設定された表示位置に当該設定された表示サイズの映像を表示させる構成としてもよい。
【０００９】
また本発明の実施形態としては、上記位置取得手段により複数の位置情報が取得された場合、上記表示設定手段は、複数の位置情報が示す各位置の平均値に応じて、上記表示位置を設定する構成としてもよい。
また本発明の実施形態としては、上記位置取得手段により複数の位置情報が取得された場合、上記表示設定手段は、それぞれの位置情報に応じて上記表示位置を複数設定し、上記表示制御手段は、当該設定された複数の表示位置に映像を表示させる構成としてもよい。
また本発明の実施形態としては、表示装置は、人体の体勢を検知する体勢検知手段を備え、上記表示設定手段は、上記体勢の検知結果に基づいて、表示面内における映像の表示方向を設定し、上記表示制御手段は、上記設定された表示位置に当該設定された表示方向を向いた映像を表示させる構成としてもよい。
【００１０】
また本発明の実施形態としては、映像を表示するための画面のサイズよりも小さなサイズの映像を画面に表示させるテレビジョンであって、人体を検知可能なセンサによる検知結果に基づいて、画面と人体との距離と、画面に対する人体の視聴角度と、人体の体勢とを示す情報を取得する位置取得手段と、所定のメモリに予め保存された、視聴者の視力を示す視力情報を取得する視力取得手段と、上記取得された画面に対する人体の視聴角度を示す情報に応じて、画面内の横方向および縦方向における映像の表示位置を設定し、上記取得された画面と人体との距離を示す情報と上記取得された視力情報に応じて、画面内における映像の表示サイズを設定し、上記取得された体勢を示す情報に応じて、画面内における映像の表示方向を設定する表示設定手段と、上記設定された画面内の表示位置に、上記設定された表示サイズの映像を、上記設定された表示方向を向かせて表示させる表示制御手段と、を備える構成としてもよい。
なお、上述した表示装置やテレビジョンとしての発明だけでなく、これら表示装置やテレビジョンが実行する処理からなる方法の発明や、当該処理をコンピュータに実行させるプログラムの発明も把握することができる。
【００１１】
以下、図面を参照しながら本発明の実施形態について説明する。
図１は、テレビジョン１０の概略構成を示している。テレビジョン１０は、本実施形態にかかる表示装置の一例に該当する。テレビジョン１０は、マイクロコンピュータ１１、チューナ回路１２、映像処理回路１３、パネル駆動回路１４、表示パネル１５、人体センサ１６、メモリ１７などを備える。マイクロコンピュータ１１は、テレビジョン１０を構成する各部、各回路とバスを介して接続しており、ＣＰＵ、ＲＡＭ、ＲＯＭを備え、ＣＰＵがＲＡＭをワークエリアとしつつＲＯＭに記憶された所定のプログラムに従った処理を実行しテレビジョン１０全体を制御する。
【００１２】
チューナ回路１２は、マイクロコンピュータ１１による制御によりアンテナを介して放送信号を受信する。映像処理回路１３は、受信された放送信号からの映像信号の復調（デコード）、映像信号に対する画質調整などを行なって表示パネル１５の表示面（画面）サイズに対応した一画面分の映像信号（フレーム）を生成し、パネル駆動回路１４に出力可能である。パネル駆動回路１４は、供給された映像信号に基づいて表示パネル１５の各画素を駆動させ、映像信号に基づく映像を表示パネル１５に表示させる。また映像処理回路１３は、映像に対し、サイズ変更（拡大・縮小）処理や、表示位置の変更（移動）処理や、表示方向の変更（回転）処理を実行可能であり、かかる処理を施した後の映像をパネル駆動回路１４に出力することで、サイズ変更や表示位置の変更や表示方向の変更がなされた映像を表示パネル１５に表示させることができる。
【００１３】
むろんテレビジョン１０は、上述した構成以外にも、電源回路や、音声処理回路や、スピーカや、外部入力端子や、外部のリモートコントロール（リモコン）装置からのリモコン信号を受信するためのリモコンインターフェイス等、テレビジョンを構成する上で必要な公知の各構成を備える。また、表示パネル１０としては、液晶パネルやプラズマディスプレイパネルや有機ＥＬパネルなど、各種パネルを採用可能である。なお本発明は、放送信号の受信機能を有するテレビジョンに限らず、表示対象となる映像を取得（入力）し、所定の表示面（表示パネルの他、スクリーンや壁など）に当該映像を表示させることが可能な表示装置であれば適用可能である。また、本実施形態にかかる表示装置が映像を表示させる表示面のサイズは、ある程度の大型サイズ（例えば、５０インチ以上）を想定している。
【００１４】
次に、本実施形態において表示装置が実行する映像表示制御処理について説明する。図２は、当該処理をフローチャートにより示している。
ステップＳ１００では、マイクロコンピュータ１１は、視聴者の視聴位置を示す位置情報を取得する。ステップＳ１００を実行する点で、マイクロコンピュータ１１は位置取得手段として機能する。位置情報は、表示パネル１５の画面と人体（視聴者）との距離（視聴距離）と、画面に対する人体の視聴角度とを含む。テレビジョン１０は人体センサ１６を有するため、マイクロコンピュータ１１は人体センサ１６を動作させることにより、テレビジョン１０周辺に存在する人体を検知させる。人体センサ１６は、人体検知手段に該当する。人体センサ１６は、例えば人感センサであり、赤外線信号等を用いて人体を検知する。あるいは人体センサ１６は、例えば撮影機能を有する機器であり、テレビジョン１０周辺を撮影した画像に対する解析処理（人物検出処理）を実行することで人体を検知するとしてもよい。マイクロコンピュータ１１は、人体センサ１６による検知結果を解析して視聴距離や視聴角度を算出し取得する。
【００１５】
図３は、人体センサ１６による検知に基づいて位置情報が取得される様子を例示している。図３Ａでは表示パネル１５を前側から示し、図３Ｂでは表示パネル１５および検知対象となる人体Ｐを上側から見た様子を示し、図３Ｃでは表示パネル１５および人体Ｐを横側から見た様子を示している。マイクロコンピュータ１１は、人体センサ１６による検知結果を解析し、例えば、表示パネル１５の画面の中心点Ｇと人体Ｐとの距離を、位置情報の一種（視聴距離）として取得する。なお、人体センサ１６自体は中心点Ｇには存在せず、例えば表示パネル１５の上部中央に設けられている（図３Ａ参照）が、マイクロコンピュータ１１は、人体センサ１６と中心点Ｇとの位置のずれを考慮した上で視聴距離（および後述の視聴角度θ１，θ２）を算出する。
【００１６】
マイクロコンピュータ１１は、図３Ｂに示すように、中心点Ｇを表示パネル１５の前後方向に通過する線（基準線Ｒ）を想定したとき、基準線Ｒに対して中心点Ｇと人体Ｐとを結ぶ線が水平面内においてなす角度θ１を、位置情報の一種（視聴角度θ１）として取得する。ここでは、視聴角度θ１は、基準線Ｒよりも右側に振れているときに正の値で表され、基準線Ｒよりも左側に振れているときに負の値で表されるものとする。従って、視聴角度θ１の数値が高いほど人体Ｐは画面の右寄りに居ることになり、視聴角度θ１の数値が低いほど人体Ｐは画面の左寄りに居ることになる。また、マイクロコンピュータ１１は、図３Ｃに示すように、基準線Ｒに対して、中心点Ｇと人体Ｐとを結ぶ線が、基準線Ｒと平行な面であって水平面に垂直な面内においてなす角度θ２を、位置情報の一種（視聴角度θ２）として取得する。視聴角度θ２は、基準線Ｒよりも上側に振れているときに正の値で表され、基準線Ｒよりも下側に振れているときに負の値で表されるものとする。従って、視聴角度θ２の数値が高いほど人体Ｐは画面の上寄りに居ることになり、視聴角度θ２の数値が低いほど人体Ｐは画面の下寄りに居ることになる。
【００１７】
本実施形態においては、視聴者に関する位置情報（視聴距離、視聴角度θ１，θ２）および視力情報が予めメモリ１７に保存されている場合がある。つまり視聴者は、自己に関する視聴距離、視聴角度θ１，θ２および視力情報を、リモコン装置等を操作することで予めテレビジョン１０に入力し、メモリ１７に保存させておくことができる。そのためステップＳ１００では、マイクロコンピュータ１１は、人体センサ１６を動作させず、メモリ１７に保存されている視聴距離および視聴角度θ１，θ２の情報を読み出すことにより位置情報を取得するとしてもよい。
【００１８】
ステップＳ１１０では、マイクロコンピュータ１１は、視聴者の視力を示す視力情報を取得する。ステップＳ１１０を実行する点で、マイクロコンピュータ１１は視力取得手段として機能する。上述したようにメモリ１７には視聴者の視力情報が保存されている場合があるため、かかる視力情報をメモリ１７から読み出す。ただし、メモリ１７に視力情報が保存されていない場合は、マイクロコンピュータ１１は、視力情報を取得できないことがある。
【００１９】
ステップＳ１２０では、マイクロコンピュータ１１は、上記取得した視力情報および位置情報に応じて、画面内における映像の表示サイズ（映像の対角線の長さ）を設定する。図４は、位置情報としての視聴距離と表示サイズとの対応関係を定義した複数の表示サイズテーブルＴ１，Ｔ２，Ｔ３，Ｔ４を例示している。表示サイズテーブルＴ１，Ｔ２，Ｔ３，Ｔ４はそれぞれ異なる視力の範囲に対応したテーブルであり、メモリ１７に予め保存されている。ここでは、表示サイズテーブルＴ１が最も高い視力範囲（例えば、視力１．５以上）に対応しており、表示サイズテーブルＴ２が次に高い視力範囲（例えば、視力０．８以上１．５未満）に対応しており、表示サイズテーブルＴ３が次に高い視力範囲（例えば、視力０．３以上０．８未満）に対応しており、表示サイズテーブルＴ４が最も低い視力範囲（例えば、視力０．３未満）に対応している。表示サイズテーブルＴ１，Ｔ２，Ｔ３，Ｔ４はいずれも、基本的には視聴距離が長くなるほど表示サイズを大きくする対応関係を定義しており、かつ、視聴距離が同じである場合、表示サイズテーブルＴ１，Ｔ２，Ｔ３，Ｔ４がそれぞれ定義する表示サイズの大小関係は、基本的にはＴ１＜Ｔ２＜Ｔ３＜Ｔ４となっている。また図４の例では、表示サイズテーブルＴ１，Ｔ２，Ｔ３，Ｔ４が定義する表示サイズの最大値maxおよび最小値minは共通であり、最大値は表示パネル１５の画面サイズである。
【００２０】
マイクロコンピュータ１１は、複数の表示サイズテーブルＴ１，Ｔ２，Ｔ３，Ｔ４のうち、上記取得した視力情報が示す視聴者の視力が属する視力範囲に対応するテーブルを参照して、上記取得した視聴距離に対応する表示サイズを読み出し、当該読み出した表示サイズを、表示パネル１５に映像を表示する際の表示サイズとして設定する。このような、視力に応じて異なる視聴距離と表示サイズとの対応関係を定義した表示サイズテーブルの数は、図４に示した４つよりも多くても少なくても良い。なお上記ステップＳ１１０において視力情報を取得できなかった場合は、マイクロコンピュータ１１は、一般的な視力に対応したものとして予め決められている一つの表示サイズテーブルを参照して、上記取得した視聴距離に対応する表示サイズを読み出し、当該読み出した表示サイズを、表示パネル１５に映像を表示する際の表示サイズとして設定すればよい。
【００２１】
さらにマイクロコンピュータ１１は、そのとき表示対象にしようとしている映像の属性（ジャンル）や動きに応じて、表示サイズを設定してもよい。この場合、マイクロコンピュータ１１は例えば、放送信号のデコードにより得られる電子番組ガイド（ＥＰＧ）を参照することにより、表示対象とする映像（選局されているチャンネルの番組）のジャンル（ニュース、スポーツ、シネマ、バラエティ…等）を特定する。そして、当該特定したジャンルに応じた補正係数（ただし、補正係数＞０）を、上記のように視聴距離（および視力情報）に応じて設定した表示サイズに乗算し、表示サイズを補正する。そして、補正後の表示サイズを、表示パネル１５に映像を表示する際の表示サイズとして設定する。
【００２２】
映像のジャンルと補正係数との対応関係は予めメモリ１７に保存されており、例えば、スポーツに対応する補正係数は、ニュースに対応する補正係数よりも小さな数値となっている。つまり補正係数は、動き（映像の変化）の激しい動画による視聴者の酔い（動画酔い）防止の観点から、動きが激しいと予測されるジャンルの映像について、動きの激しさが少ないと予測されるジャンルの映像と比較して表示サイズを小さくするように作用する。あるいはマイクロコンピュータ１１は、デコードされた映像信号を一定期間解析することで動きベクトルや色の変化、輝度変化などを検出してもよい。そして、この検出に応じて映像の動きの激しさを数値化し、この動きの激しさに応じた補正係数により、上記のように視聴距離（および視力情報）に応じて設定した表示サイズを補正し、補正後の表示サイズを表示パネル１５に映像を表示する際の表示サイズとして設定してもよい。なお、補正後の表示サイズについても、その上限は表示パネル１５の画面サイズとする。
【００２３】
ステップＳ１３０では、マイクロコンピュータ１１は、上記取得した位置情報に応じて、画面内における映像の表示位置を設定する。図５Ａは、位置情報としての視聴角度θ１と表示位置との対応関係を定義した表示位置テーブルＴ５を例示している。表示位置テーブルＴ５の縦軸は、画面の横方向（左右方向）における表示位置を示しており、その位置が取り得る範囲は、表示パネル１５の画面の右端、左端それぞれから所定距離だけ画面の内側にある位置ｈ１，ｈ２で挟まれた範囲となっている。表示位置テーブルＴ５では、視聴角度θ１＝０度に対応する表示位置は、画面の右端と左端との中間点（横方向における中心点Ｇの位置）に一致する。図５Ｂは、位置情報としての視聴角度θ２と表示位置との対応関係を定義した表示位置テーブルＴ６を例示している。表示位置テーブルＴ６の縦軸は、画面の縦方向（上下方向）における表示位置を示しており、その位置が取り得る範囲は、表示パネル１５の画面の上端、下端それぞれから所定距離だけ画面の内側にある位置ｖ１，ｖ２で挟まれた範囲となっている。表示位置テーブルＴ６では、視聴角度θ２＝０度に対応する表示位置は、画面の上端と下端との中間点（縦方向における中心点Ｇの位置）に一致する。このような表示位置テーブルＴ５，Ｔ６は、メモリ１７に予め保存されている。
【００２４】
マイクロコンピュータ１１は、表示位置テーブルＴ５を参照して、上記取得した視聴角度θ１に対応する横方向の表示位置を読み出すとともに、表示位置テーブルＴ６を参照して、上記取得した視聴角度θ２に対応する縦方向の表示位置を読み出し、この横方向の表示位置および縦方向の表示位置によって画面内で特定される位置（点）を、表示パネル１５に映像を表示する際の表示位置として設定する。ここで設定する表示位置とは、映像の中心位置を重ねる位置である。なお、上記ステップＳ１２０において設定された表示サイズ＝表示パネル１５の画面サイズであった場合は、表示位置＝中心点Ｇとなるため、ステップＳ１３０において表示位置を位置情報に応じて設定する余地はない。言い換えると、画面サイズよりも小さなサイズの映像を表示させるとき（設定された表示サイズ＜画面サイズであるとき）に、ステップＳ１３０において表示位置を位置情報に応じて設定する。本実施形態では、設定された表示サイズ＜画面サイズである場合を前提として、説明を続ける。ステップＳ１２０，Ｓ１３０を実行する点で、マイクロコンピュータ１１は表示設定手段として機能する。
【００２５】
ステップＳ１４０では、マイクロコンピュータ１１は、映像処理回路１３を制御して、上記設定した表示サイズおよび表示位置に従って映像のサイズ変更および位置の変更を実行させる。つまり、映像処理回路１３は、一画面分の映像信号について縮小（画素の間引き）等を行なうことで上記設定された表示サイズの映像を生成するとともに、当該映像の矩形の中心位置が上記設定された表示位置に一致するように、当該映像の位置を変更し、その上で映像をパネル駆動回路１４に出力する。マイクロコンピュータ１１、映像処理回路１３およびパネル駆動回路１４は、表示制御手段に該当する。
【００２６】
この結果、視聴者の位置（視聴距離）や視力（さらには、映像のジャンル等）に応じて表示サイズが最適化された映像が、視聴者の位置（視聴角度）に応じた画面内の最適な表示位置に自動的に表示されることとなる。映像表示のための表示面の大型化が進む中では、映像を表示面内のどこに表示するかは視聴の快適性を左右する大きな要素となるが、本実施形態によれば視聴者の視聴角度に応じた最適な表示位置が自動的に設定されるため、極めて快適な視聴環境を視聴者に提供することができる。図６は、このように表示サイズおよび表示位置が視聴者の状況に応じて最適化された映像が表示パネル１５の画面に表示された様子を例示している。図６では、画面サイズよりも小さなサイズの映像Ｍが、画面の左下寄りの位置に表示された例を示している。つまりこの例では、視聴者が画面の中心よりも左側であって、画面の中心よりも低い位置に居るため、かかる視聴者の位置に応じた表示位置が実現されている。
【００２７】
なお、上記設定した表示位置に上記設定した表示サイズの映像を表示する場合、映像の一部が表示パネル１５の画面からはみ出してしまうことも考えられる。このように、映像の全体が画面内に収まらない場合には、映像処理回路１３は、映像の中心位置を上記設定した表示位置から移動させないで映像の全体が画面内に収まるまで映像を縮小するか、あるいは、映像のサイズを上記設定した表示サイズから縮小しないで映像の全体が画面内に収まるまで映像の表示位置を中心点Ｇ寄りに移動させる、としてもよい。
本発明は、上述した実施形態に限られない。以下に、変形例を幾つか説明する。各変形例は、上述した実施形態を前提としつつ、主に上述した実施形態と異なる点について説明している。また、変形例を適宜組合せることも可能である。
【００２８】
変形例１：
画面の上下方向における視聴者の視聴位置は、画面の横方向における視聴者の視聴位置と比較して殆ど変らないことが多い。そのためステップＳ１３０では、処理量を減らすためにも、視聴角度θ２は無視して（視聴角度θ２は一定であるとみなして）、視聴角度θ１に基づいて画面の横方向における表示位置だけを設定するとしてもよい。この場合、画面の縦方向における表示位置は常に一定（例えば、画面の上端と下端との中間点）とする。また、当該変形例１においては、ステップＳ１００で視聴角度θ２を取得する必要が無くなる。
【００２９】
変形例２：
ステップＳ１００では、人体センサ１６による人体検知の結果、複数の人体（視聴者）が検知され、その結果、複数の視聴者それぞれに関する位置情報（視聴距離、視聴角度）が取得されることがある。また、メモリ１７に予め複数の視聴者それぞれに関する位置情報および視力情報が保存されていることにより、ステップＳ１００で複数の視聴者それぞれに関する位置情報が取得されることがある。このような場合、マイクロコンピュータ１１は、ステップＳ１３０では、複数の視聴者毎の位置情報が示す各位置の平均値（視聴角度の平均値）を算出し、当該平均値に応じて一つの表示位置を設定する。このように複数の視聴者それぞれに関する位置情報および視力情報が存在する場合には、ステップＳ１２０においても、複数の位置情報の平均値（視聴距離の平均値）および複数の視力の平均値に応じて一つの表示サイズを設定することができる。あるいは、複数の視聴者それぞれに関する位置情報および視力情報に応じて視聴者毎に算出した複数の表示サイズのうち最大のサイズを、表示サイズとして設定するとしてもよい。当該変形例２によれば、複数の視聴者が表示パネル１５上の映像を視聴する場合に、各視聴者にとって平均的に良好な表示位置（および表示サイズ）にて、映像表示を行なうことができる。
【００３０】
変形例３：
上記変形例２で説明したように、複数の視聴者それぞれに関する位置情報や視力情報が取得できる場合、マイクロコンピュータ１１は、上記変形例２とは逆に、複数の視聴者毎の位置情報（視聴者毎の視聴距離）および視力に応じて視聴者毎の表示サイズを設定し（ステップＳ１２０）、複数の視聴者毎の位置情報（視聴者毎の視聴角度）に応じて視聴者毎の表示位置を設定する（ステップＳ１３０）としてもよい。この結果、例えば視聴者が二人居た場合、図７に示すように二人の視聴者各々にとって表示サイズおよび表示位置が最適化された映像Ｍ１，Ｍ２が表示パネル１５に表示される。ただし、視聴者毎に設定した表示サイズおよび表示位置の内容次第では、各々の映像（映像Ｍ１，Ｍ２）が互いに重なってしまうこともありえる。そこで、マイクロコンピュータ１３は、視聴者毎に表示サイズおよび表示位置を設定した場合に、それら設定に基づく視聴者毎の映像が表示パネル１５内で重なるか否かをステップＳ１３０の後に判定し、重なるようであれば、上記変形例２で説明したステップＳ１２０，Ｓ１３０を実行するとしてもよい。
【００３１】
変形例４：
図８は、当該変形例４にかかるフローチャートを示している。図８のフローチャートにおいては、図２のフローチャートと同じ処理には同じステップ番号を付している。人体センサ１６は、人体の体勢も検知（例えば、寝転んでいるか否かを検知）するとしてもよい。人体センサ１６は、体勢検知手段に該当する。人体の体勢（姿勢）は、例えば、検知した人体の体温の分布形状と、予め定められた複数の体勢パターン（体勢毎の体温の分布形状を示したパターン）との比較に基づいて推定することができる。マイクロコンピュータ１１は、人体センサ１６を動作させ、このような体勢の検知結果を取得し（ステップＳ１１５）、当該検知結果に基づいて、画面内における映像の表示方向を設定する（ステップＳ１３５）。例えば、人体が寝転んでいるとの検知結果を取得した場合、マイクロコンピュータ１１は、映像の表示方向を画面の横方向に設定する。ここでいう映像の表示方向とは、映像の天地方向を意味する。ステップＳ１４５では、マイクロコンピュータ１１は、映像処理回路１３を制御して、上記設定した表示サイズおよび表示位置に従って映像のサイズ変更および位置の変更を実行させる（ステップＳ１４０と同じ）とともに、映像が上記設定した表示方向を向くように、映像を回転させ、その上で映像をパネル駆動回路１４に出力する。上記のように映像の表示方向を画面の横方向に設定している場合には、映像の天地方向を画面の横方向に向けるために映像を回転させる。この結果、例えば寝転びながら表示パネル１５上の映像を視聴する視聴者にとって見やすい（顔の上下方向と映像の上下方向とが略一致した）映像表示が表示パネル１５において行なわれる。
【符号の説明】
【００３２】
１０…テレビジョン、１１…マイクロコンピュータ、１３…映像処理回路、１５…表示パネル、１６…人体センサ、１７…メモリ
【図１】
2012114630.tif 000003
【図２】
2012114630.tif 000004
【図３】
2012114630.tif 000005
【図４】
2012114630.tif 000006
【図５】
2012114630.tif 000007
【図６】
2012114630.tif 000008
【図７】
2012114630.tif 000009
【図８】
2012114630.tif 000010